(57)【要約】【課題】端子係止ランスが座屈しにくいコネクタハウジングを提供する。【解決手段】端子係止ランス９が、立壁５の天面側に支持される支持部１０と、立壁５の天面上に配置されるように突出するランス係止突起１２とを有している。立壁５が、ランス係止突起１２よりも端子金具３の挿入方向Ｙ１２の後端側の天面にランス係止突起１２と対向するように設けられ、端子係止ランス１２が挿入方向Ｙ１２の後端側に引っ張れるとランス係止突起１２を係止する立壁係止突起１３を有している。【選択図】図２
2008066160.tif 000002
【特許請求の範囲】
【請求項１】
端子金具が収容される端子収容室を形成する底壁と、前記端子金具の前記端子収容室に対する挿入方向に沿って前記底壁から立設された複数の立壁と、該立壁間に形成された前記端子収容室に収容される端子金具を係止する係止部を有する端子係止ランスとを備えたコネクタハウジングにおいて、
前記端子係止ランスが、前記立壁の天面側に支持される支持部と、前記立壁の天面上に配置されるように突出するランス係止突起とを有し、
前記立壁が、前記ランス係止突起よりも前記端子金具の挿入方向の後端側の天面に前記ランス係止突起と対向するように設けられ、前記端子係止ランスが前記挿入方向の後端側に引っ張れると前記ランス係止突起を係止する立壁係止突起を有する
ことを特徴とするコネクタハウジング。
【請求項２】
前記端子収容室が、複数並べて設けられ、
前記端子係止ランスが、前記各端子収容室毎に設けられ、
前記立壁係止突起が、隣り合った前記端子係止ランス間に設けられているスリット内に挿入されるように設けられている
ことを特徴とする請求項１記載のコネクタハウジング。
【発明の詳細な説明】
【技術分野】
【０００１】
本発明は、コネクタハウジングに係り、特に、端子金具が収容される端子収容室を形成する底壁と、前記端子金具の前記端子収容室に対する挿入方向に沿って前記底壁から立設された複数の立壁と、該立壁間に形成された前記端子収容室に収容される端子金具を係止する係止部を有する端子係止ランスとを備えたコネクタハウジングに関するものである。
【背景技術】
【０００２】
上述した従来のコネクタハウジングとして例えば図６に示されたものが提案されている（特許文献１）。同図に示すように、コネクタハウジングには、複数の端子収容室１００が設けられている。端子収容室１００の各々には、この端子収容室１００に収容される端子金具を係止する端子係止ランス１０１が設けられている。端子係止ランス１０１は、この端子収容室１００を仕切る底壁１０２の端子金具の端子収容室１００への挿入方向Ｙ１の先端側に設けられている。端子係止ランス１０１は、先端が自由端となった片持ち状をなしている。端子係止ランス１０１は、上下方向Ｙ２に撓み変形する。
【０００３】
コネクタハウジングの端子挿入孔１０３から端子収容室１００内に端子金具が挿入され、端子金具の先端が端子係止ランス１０１に当接すると、端子係止ランス１０１が下方に撓む。さらに、端子金具が先端側に向かって挿入され、端子金具に形成された係止孔が端子係止ランス１０１に到達すると、端子係止ランス１０１が復帰して係止される。
【０００４】
ところで、従来より端子係止ランス１０１の上下方向Ｙ２の厚みを薄くして低背化を図り、コネクタハウジングの小型化を図る技術が提案されている。図６に示すように、端子金具と係止する係止部１０４と治具１０６によって係止解除される係止解除部１０５とは上下方向Ｙ１に並べて形成するのが従来一般的であった。しかしながら、例えば図７に示すように、端子係止ランス１０１の係止部１０４と係止解除部１０５とを幅方向Ｙ３に並べて形成し、低背化を図るコネクタハウジングが提案されている。また、図７に示す端子係止ランス１０１は、スリット１０７が設けられており、上下方向Ｙ２に撓み易くなるように形成されている。
【０００５】
上述した端子係止ランス１０１は、端子金具が挿入方向Ｙ１の後端側に引っ張られ、後端側に向かう力が加わると座屈してしまうという問題があった。特に、上述したように低背化が図られたり、スリット１０７が設けられると、より一層、挿入方向Ｙ１の後端側に向かう引っ張り力が弱くなり、座屈してしまうという問題があった。
【特許文献１】特開２００１−３２６０１１号公報
【発明の開示】
【発明が解決しようとする課題】
【０００６】
そこで、本発明は、上記のような問題点に着目し、端子係止ランスが座屈しにくいコネクタハウジングを提供することを課題とする。
【課題を解決するための手段】
【０００７】
上記課題を解決するためになされた請求項１記載の発明は、端子金具が収容される端子収容室を形成する底壁と、前記端子金具の前記端子収容室に対する挿入方向に沿って前記底壁から立設された複数の立壁と、該立壁間に形成された前記端子収容室に収容される端子金具を係止する係止部を有する端子係止ランスとを備えたコネクタハウジングにおいて、前記端子係止ランスが、前記立壁の天面側に支持される支持部と、前記立壁の天面上に配置されるように突出するランス係止突起とを有し、前記立壁が、前記ランス係止突起よりも前記端子金具の挿入方向の後端側の天面に前記ランス係止突起と対向するように設けられ、前記端子係止ランスが前記挿入方向の後端側に引っ張れると前記ランス係止突起を係止する立壁係止突起を有することを特徴とするコネクタハウジングに存する。
【０００８】
請求項１記載の発明によれば、端子係止ランスに設けたランス係止突起と、立壁に設けた立壁係止突起とが、挿入方向の先端側にランス係止突起が位置し後端側に立壁係止突起が位置し、かつ挿入方向に沿って対向するように設けられているので、端子収容室に収容される端子金具が挿入方向の後端側に引っ張られると、ランス係止突起が立壁係止突起と当接して端子係止ランスに端子の挿入方向の先端側に向かう力が加えられて引っ張り力が打ち消される。
【０００９】
請求項２記載の発明は、前記端子収容室が、複数並べて設けられ、前記端子係止ランスが、前記各端子収容室毎に設けられ、前記立壁係止突起が、隣り合った前記端子係止ランス間に設けられているスリット内に挿入されるように設けられていることを特徴とする請求項１記載のコネクタハウジングに存する。
【００１０】
請求項２記載の発明によれば、立壁係止突起が、隣り合った端子係止ランス間に設けられているスリット内に挿入されるように設けられているので、隣り合った端子係止ランス間にスリットが設けられ引っ張り力に対して座屈しやすい端子係止ランスであっても、ランス係止突起が立壁係止突起と当接してその引っ張り力を打ち消すことができる。
【発明の効果】
【００１１】
以上説明したように請求項１記載の発明によれば、端子収容室に収容される端子が挿入方向の後端側に引っ張られると、ランス係止突起が立壁係止突起と当接して端子係止ランスに端子の挿入方向の先端側に向かう力が加えられて引っ張り力が打ち消されるので、端子係止ランスが座屈しにくい。
【００１２】
請求項２記載の発明によれば、隣り合った端子係止ランス間にスリットが設けられ引っ張り力に対して座屈しやすい端子係止ランスであっても、ランス係止突起が立壁係止突起と当接してその引っ張り力を打ち消すことができるので、端子係止ランスが座屈しにくい。
【発明を実施するための最良の形態】
【００１３】
以下、本発明の一実施の形態を図面に基づいて説明する。図１は、本発明のコネクタハウジングの一実施の形態を示す斜示図である。図２は、図１に示すコネクタハウジング内に端子金具を収容した状態での斜示図である。図３は、図１に示すコネクタハウジングの部分天面図である。図４は、図１のＩ−Ｉ線断面図である。図５は、図２のＩＩ−ＩＩ線断面図である。
【００１４】
同図に示すように、コネクタハウジングは、例えば９つの端子収容室１が並設方向Ｙ１１に並んで設けられている。各端子収容室１には、図５に示すように、電線２の端部に固着された雌型の端子金具３が収容される。コネクタハウジングは、略箱型に形成され、底壁４と、端子金具３の端子収容室１への挿入方向Ｙ１２に沿って底壁４から立設する複数の立壁５とを有している。複数の立壁５は、端子収容室１の並設方向Ｙ１１を区画して、隣り合った端子収容室１同士を仕切っている。端子収容室１は各々、底壁４と、立壁５間に形成される空間である。
【００１５】
また、図４及び図５に示すように、コネクタハウジングの端子金具３の挿入方向Ｙ１２の先端側には、端子金具３と嵌合する雄型端子金具（図示せず）を挿入するための相手端子挿入孔６が形成されている。コネクタハウジングの端子金具３の挿入方向Ｙ１２の後端側には、端子金具３を端子収容室１に挿入するための収容端子挿入孔７が形成されている。
【００１６】
また、コネクタハウジングは、各端子収容室１に収容される端子金具３と係止する係止部８を有する端子係止ランス９を備えている。係止部８は、端子係止ランス９の挿入方向Ｙ１２の先端側の端部に設けられている。
【００１７】
また、複数の端子係止ランス９の各々は、その挿入方向Ｙ１２の後端側に支持部１０を有している。この支持部１０は、端子収容室１を挟む立壁５の天面１１側に支持される。これにより、端子係止ランス９の係止部８が立壁５の天面１１よりも上側に配置される。なお、ここで立壁５の天面１１とは、立壁５の立設方向Ｙ１３の底壁４とは反対側にある面を言う。また、ここで上側とは立設方向Ｙ１３の天面１１側を言う。上記端子係止ランス９は、図４に示すように、先端側に向かうに従って底壁４に向かって突起するように設けられている。
【００１８】
また、端子係止ランス９は、先端側に設けられ立壁５の天面１１上に配置されるように突出するランス係止突起１２を有している。ランス係止突起１２は、係止部８よりも先端側に設けられている。また、立壁５は、ランス係止突起１２よりも挿入方向Ｙ１２の後端側の天面１１に、ランス係止突起１２と対向するように設けられ、端子係止ランス９が挿入方向Ｙ１２の後端側に引っ張られるとランス係止突起１２を係止する立壁係止突起１３を有している。以上の構成により、ランス係止突起１２と立壁係止突起１３とが互いに離間して挿入方向Ｙ１２に対向するように設けられる。また、ランス係止突起１２が挿入方向Ｙ１２の先端側に、立壁係止突起１３が挿入方向Ｙ１２の後端側に位置するように設けられる。
【００１９】
また、端子係止ランス９には、挿入方向Ｙ１２に沿ったスリット１４、１５が設けられている。スリット１４は、各端子係止ランス９の並設方向Ｙ１１中央の後端側に設けられている。スリット１５は、隣り合った端子係止ランス９間の先端側に設けられている。これらスリット１４、１５により、端子係止ランス９が立設方向Ｙ１３に撓みやすくなっている。また、上述した立壁係止突起１３はスリット１５内に挿入されるように設けられている。
【００２０】
次に、上述した端子金具３の構成について説明する。端子金具３は、図５に示すように、雄型の相手端子金具３が進入する筒部１６と、電線２を圧着接続する接続部１７とをそれぞれ有している。上述した筒部１６には、端子係止ランス９と係止する中空状の端子係止突起１８が設けられている。端子係止突起１８は挿入方向Ｙ１２の後端側に向かうに従って高さが高くなるテーパが設けられている。
【００２１】
次に、上述した構成のコネクタハウジング内の端子収容室１に端子金具３を収容する方法について説明する。端子金具３は、コネクタハウジングの後端に設けられた収容端子挿入孔７から端子収容室１に挿入され、底壁４に沿って先端に向かって進入される。端子係止突起１８が端子係止ランス９まで進入してスリット１４よりも先端側に進入すると、端子係止ランス９は上側に撓む。
【００２２】
この時、ランス係止突起１２と立壁係止突起１３とは互いに干渉することなく、立壁係止突起１３が端子金具３の挿入の妨げになることがない。つまり、ランス係止突起１２と立壁係止突起１３とは、端子収容室１への端子金具３の進入時に端子係止ランス９の上方への撓みを許容できる程度に挿入方向Ｙ１２に離間している。
【００２３】
さらに進入して端子係止突起１８が端子係止ランス９の係止部８よりも先端側に達すると、端子係止ランス９は下側に復元して端子係止ランス９の係止部８と端子金具３の端子係止突起１８とが係止される。これにより、端子金具３を挿入方向Ｙ１２の後端側に引っ張っても端子係止突起１８が端子係止ランス９の係止部８に引っかかり端子金具３が端子収容室１から抜けることがない。
【００２４】
また、上述したように端子係止ランス９に設けたランス係止突起１２と、立壁５に設けた立壁係止突起１３とが、挿入方向Ｙ１２の先端側にランス係止突起１２が位置し後端側に立壁係止突起１３が位置し、かつ挿入方向Ｙ１２に沿って対向するように設けられている。これにより、端子収容室１に収容される端子金具３が挿入方向Ｙ１２の後端側に引っ張られると、ランス係止突起１２が立壁係止突起１３と当接して端子係止ランス９に端子金具３の挿入方向Ｙ１２の先端側に向かう力が加えられて引っ張り力が打ち消され、端子係止ランス９が座屈しにくい。即ち、上述した構成のコネクタハウジングによれば、端子係止ランス９が座屈して、端子係止ランス９による端子金具３の保持力が低下するということがない。
【００２５】
また、上述したように、立壁係止突起１３が、隣り合った端子係止ランス９間に設けられているスリット１５内に挿入されるように設けられているので、隣り合った端子係止ランス９間にスリット１５が設けられ引っ張り力に対して座屈しやすい端子係止ランス９であっても、ランス係止突起１２が立壁係止突起１３と当接してその引っ張り力を打ち消すことができ、端子係止ランス９が座屈しにくい。
【００２６】
なお、上述した実施形態では、コネクタハウジング内には端子収容室１が９つ設けられていたが、本発明はこれに限ったものではない。例えば、端子収容室１としては、一つでも良いし、９つより少なくても良いし、９つよりたくさん設けてもよい。
【００２７】
また、上述した実施形態では、ランス係止突起１２は、一つの端子収容室１を挟む立壁５の両方の天面１１上に配置されるように設けていたが、本発明はこれに限ったものではない。ランス係止突起１２としては、端子収容室１を挟む立壁５の少なくとも一方の天面１１上に配置されるように設けていればよい。但し、本実施形態のように両方に設けた方が、より座屈しにくくなり最適である。
【００２８】
また、上述した実施形態では、低背化が図られたりスリット１４、１５が設けられた座屈し易い端子係止ランス９にランス係止突起１２を設けていたが、本発明はこれに限ったものではない。例えば、図６に示すように座屈しにくい端子係止ランス９にランス係止突起１２を設けてもよい。この場合、より一層、端子係止ランス９が座屈しにくくなる。
【００２９】
また、上述した実施形態では、ランス係止突起１２は、端子係止ランス９の先端に設けていたが、本発明はこれに限ったものではない。ランス係止突起１２は、支持部１０よりも先端側であればどこに設けてもよい。
【００３０】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３１】
【図１】本発明のコネクタハウジングの一実施の形態を示す斜示図である。
【図２】図１に示すコネクタハウジング内に端子金具を収容した状態での斜示図である。
【図３】図１に示すコネクタハウジングの天面図である。図４は、図１のＩ−Ｉ線断面図である。
【図４】図１のＩ−Ｉ線部分断面図である。
【図５】図２のＩＩ−ＩＩ線断面図である。
【図６】従来のコネクタハウジングの一例を示す断面図である。
【図７】従来の端子係止ランスの一例を示す斜示図である。
【符号の説明】
【００３２】
１    端子収容室
３    端子金具
４    底壁
５    立壁
８    係止部
９    端子係止ランス
１０  支持部
１１  天面
１２  ランス係止突起
１３  立壁係止突起
【図１】
2008066160.tif 000003
【図２】
2008066160.tif 000004
【図３】
2008066160.tif 000005
【図４】
2008066160.tif 000006
【図５】
2008066160.tif 000007
【図６】
2008066160.tif 000008
【図７】
2008066160.tif 000009